(57)【要約】【課題】  どのような写真フィルムであっても確実にパーフォレーションの計数を行なえるカメラを提供すること。【解決手段】  パーフォレーション１０３が通過する第１の位置にフォトリフレクタ１１ａを設け、パーフォレーション１０３が通過する第２の位置にもフォトリフレクタ１１ｂを設ける。一方のフォトリフレクタ１１ｂ側にはフォトリフレクタ１１ｂから投光した光を反射させる反射板１３ａを設けて、フォトリフレクタ１１ａとフォトリフレクタ１１ｂとで検出されるパーフォレーションの検出信号にレベル差を持たせる。写真フィルム１０２の反射率の違いがあっても、いずれか一方のフォトリフレクタをＣＰＵにより選択することによりパーフォレーションの計数を精度良く行なえる。【選択図】    図１
2005274975.tif 000002
【特許請求の範囲】
【請求項１】
長手方向に沿ってパーフォレーションが穿設された写真フィルムがロール状に巻回されて収容されたケースが装填され、該ケース内から引き出された写真フィルム上に写真撮影を行なうカメラにおいて、
前記写真フィルムを給送する給送モータと、給送時にパーフォレーションを検出するパーフォレーション検出部と、前記写真フィルムの一コマ分の給送を開始するとともに、前記パーフォレーション検出部により検出されたパーフォレーションの数を計数して前記給送モータを停止させる給送制御部とを備え、
前記パーフォレーション検出部が、前記写真フィルムに穿設されたパーフォレーションが通過する第１の位置に設けられ、該第１の位置から写真フィルムに向けて光を投光し、前記パーフォレーションが該第１の位置を通過し、次のパーフォレーションが該第１の位置を通過する迄の間の写真フィルムの部分での反射光を受光することにより前記パーフォレーションの通過を検出する第１のセンサと、
前記写真フィルムに穿設されたパーフォレーションが通過する第２の位置に設けられ、該第２の位置から該写真フィルムに向けて光を投光し、該投光した光が該写真フィルムのパーフォレーションを通過したときに該光を前記第２の位置側に反射させる反射板を備え、前記写真フィルムのパーフォレーションが前記第２の位置を通過するときには前記反射板での反射光を受光し、該写真フィルムのパーフォレーションと次のパーフォレーションとの間の写真フィルムの部分が前記第２の位置を通過するときには前記写真フィルムでの反射光を受光することにより該パーフォレーションの通過を検出する第２のセンサと、
前記第１のセンサと前記第２のセンサとのうちの、いずれか一方の検出信号を出力するセンサをパーフォレーション検出用として選択するセンサ選択部とを備えたことを特徴とするカメラ。
【請求項２】
前記センサ選択部は、前記第１のセンサによる検出信号と前記第２のセンサによる検出信号とのうちの振幅の大きい検出信号を得るセンサをパーフォレーション検出用として選択するものであることを特徴とする請求項１記載のカメラ。
【請求項３】
長手方向に沿ってパーフォレーションが穿設された写真フィルムがロール状に巻回されて収容されたケースが装填され、該ケース内から引き出された写真フィルム上に写真撮影を行なうカメラにおいて、
前記写真フィルムを給送する給送モータと、給送時にパーフォレーションを検出するパーフォレーション検出部と、前記写真フィルムの一コマ分の給送を開始するとともに、前記パーフォレーション検出部により検出されたパーフォレーションの数を計数して前記給送モータを停止させる給送制御部とを備え、
前記パーフォレーション検出部が、前記写真フィルムに穿設されたパーフォレーションが通過する第１の位置に設けられ、該第１の位置から写真フィルムに向けて光を投光し、前記パーフォレーションが該第１の位置を通過し、次のパーフォレーションが該第１の位置を通過する迄の間の写真フィルムの部分での反射光を受光することにより前記パーフォレーションの通過を検出する第１のセンサと、
前記写真フィルムに穿設されたパーフォレーションが通過する第２の位置に設けられ、該第２の位置から該写真フィルムに向けて光を投光し、該投光した光が該写真フィルムのパーフォレーションを通過したときに該光を前記第２の位置側に反射させる反射板を備え、前記写真フィルムのパーフォレーションが前記第２の位置を通過するときには前記反射板での反射光を受光し、該写真フィルムのパーフォレーションと次のパーフォレーションとの間の写真フィルムの部分が前記第２の位置を通過するときには前記写真フィルムでの反射光を受光することにより該パーフォレーションの通過を検出する第２のセンサと、
前記第１のセンサによる検出信号と前記第２のセンサによる検出信号との双方に基づいてパーフォレーション検出信号を生成する信号生成部とを備えたことを特徴とするカメラ。
【請求項４】
前記信号生成部は、前記第１のセンサによる検出信号と前記第２のセンサによる検出信号との差分を求めることによりパーフォレーション検出信号を生成するものであることを特徴とする請求項３記載のカメラ。
【発明の詳細な説明】
【技術分野】
【０００１】
本発明は、長手方向に沿ってパーフォレーションが穿設された写真フィルムがロール状に巻回されて収容されたケースが装填され、そのケース内から引き出された写真フィルム上に写真撮影を行なうカメラに関する。
【背景技術】
【０００２】
長手方向に沿ってパーフォレーションが穿設されたロール状の写真フィルムが巻回されて収容されたケースがカメラ内部のフィルム装填室に装填され、そのケースから引き出された写真フィルム上に写真撮影を行なうカメラがある。このようなカメラでは写真フィルムを一駒ずつ撮影面に給送して撮影が行なわれる。この給送が一駒ずつ行なわれるときには、長手方向に沿って穿設されたパーフォレーションの数が計数されて撮影面に撮影駒が正しくセットされる。
【０００３】
このパーフォレーションの計数には、フォトリフレクタなどのセンサの検出信号に基づいて計数が行なわれる（例えば特許文献１，２参照）。
【０００４】
しかし、写真フィルムにより光の反射率が異なるため、フォトリフレクタでの受光量が大きくばらついてしまい、特許文献１、特許文献２のものにあっては受光量が非常に小さくなってしまった場合に計数を誤ることがある。
【特許文献１】特開平２−７７０５６号公報
【特許文献２】特許第３００８３６０号公報
【発明の開示】
【発明が解決しようとする課題】
【０００５】
本発明は、上記事情に鑑み、どのような写真フィルムであっても確実にパーフォレーションの計数を行なえるカメラを提供することを目的とする。
【課題を解決するための手段】
【０００６】
上記目的を達成する本発明の第１のカメラは、長手方向に沿ってパーフォレーションが穿設された写真フィルムがロール状に巻回されて収容されたケースが装填され、そのケース内から引き出された写真フィルム上に写真撮影を行なうカメラにおいて、
上記写真フィルムを給送する給送モータと、給送時にパーフォレーションを検出するパーフォレーション検出部と、上記写真フィルムの一コマ分の給送を開始するとともに、上記パーフォレーション検出部により検出されパーフォレーションの数を計数して上記給送モータを停止させる給送制御部とを備え、
上記パーフォレーション検出部が、上記写真フィルムに穿設されたパーフォレーションが通過する第１の位置に設けられ、その第１の位置から写真フィルムに向けて光を投光し、上記パーフォレーションがその第１の位置を通過し、次のパーフォレーションがその第１の位置を通過する迄の間の写真フィルムの部分での反射光を受光することにより上記パーフォレーションの通過を検出する第１のセンサと、
上記写真フィルムに穿設されたパーフォレーションが通過する第２の位置に設けられ、その第２の位置から該写真フィルムに向けて光を投光し、その投光した光がその写真フィルムのパーフォレーションを通過したときにその光を上記第２の位置側に反射させる反射板を備え、上記写真フィルムのパーフォレーションが上記第２の位置を通過するときには上記反射板での反射光を受光し、その写真フィルムのパーフォレーションと次のパーフォレーションとの間の写真フィルムの部分が上記第２の位置を通過するときには上記写真フィルムでの反射光を受光することによりそのパーフォレーションの通過を検出する第２のセンサと、
上記第１のセンサと上記第２のセンサのうちの、いずれか一方の検出信号を出力するセンサをパーフォレーション検出用として選択するセンサ選択部とを備えたことを特徴とする。
【０００７】
上記本発明の第１のカメラによれば、写真フィルムの反射率が小さく、受光量が小さくなってしまった場合には、上記第１のセンサ、上記第２のセンサのうち、反射板を備える第２のセンサが検出精度の高い検出信号を出力するものとしてセンサ選択部により選択され、パーフォレーションの計数が確実に行なわれる。その結果、フィルムの反射率によって受光量が小さくなって計数を誤るといった課題が解決される。
【０００８】
ここで上記センサ選択部は、上記第１のセンサによる検出信号を上記第２のセンサによる検出信号とのうちの振幅の大きい検出信号を得るセンサをパーフォレーション検出用として選択するものであることが好ましい。
【０００９】
課題にも掲げたとおり、フィルムの反射率によっては第１のセンサでの受光量が著しく低下することがある。その場合には上記反射板で反射させた光を第２のセンサに受光させることによりパーフォレーションと、パーフォレーションの間のフィルム部分との受光レベルにはっきりとした差を持たせることができる。フィルムの反射率が大きい場合にはいままでどおり、第１のセンサによってパーフォレーションの計数を行なえば良い。その結果、フィルムの反射率に応じてパーフォレーションが確実に計数される。また第１のセンサ、第２のセンサとも相応の受光量が得られた場合には、どちらのセンサを使用しても良い。このときにはいずれか一方のセンサをチェック用として使用することもでき、精度の高い計数を行なえる。
【００１０】
上記目的を達成する本発明の第２のカメラは、長手方向に沿ってパーフォレーションが穿設された写真フィルムがロール状に巻回されて収容されたケースが装填され、そのケース内から引き出された写真フィルム上に写真撮影を行なうカメラにおいて、
上記写真フィルムを給送する給送モータと、給送時にパーフォレーションを検出するパーフォレーション検出部と、上記写真フィルムの一コマ分の給送を開始するとともに、上記パーフォレーション検出部により検出されパーフォレーションの数を計数して上記給送モータを停止させる給送制御部とを備え、
上記パーフォレーション検出部が、上記写真フィルムに穿設されたパーフォレーションが通過する第１の位置に設けられ、その第１の位置から写真フィルムに向けて光を投光し、上記パーフォレーションがその第１の位置を通過し、次のパーフォレーションがその第１の位置を通過する迄の間の写真フィルムの部分での反射光を受光することにより上記パーフォレーションの通過を検出する第１のセンサと、
上記写真フィルムに穿設されたパーフォレーションが通過する第２の位置に設けられ、その第２の位置からその写真フィルムに向けて光を投光し、その投光した光がその写真フィルムのパーフォレーションを通過したときにその光を上記第２の位置側に反射させる反射板を備え、上記写真フィルムのパーフォレーションが上記第２の位置を通過するときには上記反射板での反射光を受光し、その写真フィルムのパーフォレーションと次のパーフォレーションとの間の写真フィルムの部分が上記第２の位置を通過するときには上記写真フィルムでの反射光を受光することによりそのパーフォレーションの通過を検出する第２のセンサと、
上記第１のセンサによる検出信号と上記第２のセンサによる検出信号との双方に基づいてパーフォレーション検出信号を生成する信号生成部とを備えたことを特徴とする。
【００１１】
上記第１のセンサで受光した光量と上記第２のセンサで受光した光量との間には上記反射板の有無によって必ず差が生じるので、これを利用することにより双方のセンサによる検出信号を上記信号生成部で生成してパーフォレーションを計数する。その結果、パーフォレーションと、次のパーフォレーションまでのフィルム部分とが確実に識別され、計数が正確に行なわれる。
【００１２】
ここで、上記信号生成部は、上記第１のセンサによる検出信号と上記第２のセンサによる検出信号との差分を求めることによりパーフォレーション検出信号を生成するものであることが好ましい。
【００１３】
このように双方の検出信号の差分を求めると、フィルムの反射率に拘らず、上記第１のセンサと上記第２のセンサとの双方の検出信号に基づいてパーフォレーション検出信号が生成され、確実に計数が行なわれる。
【００１４】
そうすると、フィルムを装填する前に閾値の設定を行なうこともでき、フィルムを装填した後でセンサの感度調整などを行なう必要がなくなる。
【発明の効果】
【００１５】
以上、説明したように、本発明のカメラによれば、どのような写真フィルムであっても確実にパーフォレーションの計数を行なえるカメラを提供することができる。
【発明を実施するための最良の形態】
【００１６】
以下、本発明の実施形態を、図１を参照して説明する。
【００１７】
本実施形態のカメラはカメラの背面に開閉自在な裏蓋１２を備えている。
【００１８】
図１は、本実施形態のカメラ１を示す図であり、図１（ａ）はこのカメラ１から裏蓋１２を取り外し、カメラ背面側からカメラ内部を見た図、また図１（ｂ）は写真フィルムが収容されたケースここではパトローネ１０１からロール状の写真フィルム１０２が引き出された状態を示す図、また図１（ｃ）はこのカメラ１の裏蓋１２を背面から見た図である。
【００１９】
このカメラ１では、図１（ｂ）に示すように長手方向に沿ってパーフォレーション１０３が穿設されたロール状の写真フィルム１０２が巻回されて収容されたパトローネ１０１が図１（ａ）に示すフィルム装填室１ｂに装填される。そのパトローネ１０１内から引き出されたロール状の写真フィルム１０２上に写真撮影が行なわれる。
【００２０】
図１（ａ）には、そのロール状の写真フィルム１０２が収容されたパトローネ１０１が装填されるフィルム装填室１ｂとそのケース内から引き出された写真フィルムを巻き上げるスプール側１ｃの配置も図示されている。また図１（ａ）には、ファインダ１ｄやワイド／テレ切替スイッチ１ｅの配置も図示されている。
【００２１】
図１（ａ）に示すカメラ１には、フィルム装填室１ｂ内に装填されたパトローネ１０１内に収容され、引き出されたロール状の写真フィルム１０２のパーフォレーション１０３が通過する位置にそれぞれフォトリフレクタ１１ａ，１１ｂが設けられている。
【００２２】
これらフォトリフレクタ１１ａ，１１ｂの配設された位置を写真フィルム１０２のパーフォレーション１０３がそれぞれ通過するように図１（ｂ）に示すパトローネ１０１から引き出されたロール状の写真フィルム１０２が配備される。
【００２３】
図１（ａ）の下側のフォトリフレクタ１１ａが本発明にいう第１のセンサに当たり、そのフォトリフレクタ１１ａが配設された位置が本発明にいう第１の位置に当たる。また図１（ａ）の上側のフォトリフレクタ１１ｂが本発明にいう第２のセンサに当たり、そのフォトリフレクタ１１ｂの配設された位置が本発明にいう第２の位置に当たる。
【００２４】
第１のセンサに当たるフォトリフレクタ１１ａでは、第１の位置から写真フィルム１０２に向けて光を投光し、パーフォレーションがその第１の位置を通過し、次のパーフォレーションがその第１の位置を通過する迄の間の写真フィルムの部分での反射光を受光することによりパーフォレーションの通過を検出する。この第１のセンサにあっては写真フィルムに向けてパーフォレーションを通過した光が裏蓋にあたって戻ってきてしまうことがあるので、裏蓋とセンサとの距離はできるだけ離れていることが望ましい。
【００２５】
また第２のセンサに当たるフォトリフレクタ１１ｂは、第２の位置から写真フィルム１０２に向けて光を投光し、その投光した光がその写真フィルム１０２のパーフォレーション１０３を通過したときにその光を第２の位置側に反射させる反射板１３ａを備え、写真フィルムのパーフォレーション１０３が第２の位置を通過するときには反射板１３ａでの反射光を受光し、写真フィルム１０２のパーフォレーション１０３と次のパーフォレーション１０３との間の写真フィルムの部分１０２が第２の位置を通過するときには写真フィルム１０２での反射光を受光することによりパーフォレーションの通過を検出する。ここでは反射板１３ａを圧板の一部で構成し、部品点数の削減を図っている。ここではこの圧板がアルミ材で構成されているので図１（ｃ）のハッチングで示した部分だけを黒塗装せずに残し反射板として作用させている。また圧板がプラスティックの場合には、圧板１３にアルミ箔などを貼付して反射板として作用させても良い。また、圧板１３を反射板として使用せずに裏蓋にアルミ箔などを添付して反射板として作用させても良い。
【００２６】
これら第１のセンサとなるフォトリフレクタ１１ａ、第２のセンサとなるフォトリフレクタ１１ｂで本発明にいうパーフォレーション検出部が構成される。
【００２７】
さらに、カメラ内部に写真フィルム１０２が配備されたら、図１（ｃ）に示すカメラの裏蓋１２が閉じられ、裏蓋１２側にある圧板１３によって写真フィルム１０２が押圧され、写真フィルム１０２が完全にカメラ内部の撮影面１ａ上に配備される。
【００２８】
図２はこれらのフォトリフレクタをパーフォレーション検出部として備える信号処理部の構成を示す図である。
【００２９】
図２に示すように、信号処理部内にはこのカメラ１の動作を統括的に制御するＣＰＵ１１０が配備されている。
【００３０】
そのＣＰＵ１１０でこのカメラの動作を制御するに当たり、ＣＰＵ１１０はバッテリ１１１に必要な電力が残っているかどうかのチェックを検出回路１１２に行なわせている。このチェックによりバッテリ１１１の残量が少ないことをＣＰＵ１１０で検出した場合には、ＣＰＵ１１０はＬＣＤ１１３の表示パネル上に警告メッセージを表示し、このカメラ１の使用に制限を加える。なお本実施形態のＣＰＵ１１０はバッテリ１１１の電源電圧ではなく、バッテリ１１１の電圧とは異なる電圧で動作するものであるので、ＤＣ／ＤＣコンバータ１１１ａにより電源電圧を異なる電圧に変換してＣＰＵ１１０に供給している。
【００３１】
カメラ１として動作するためのバッテリ１１１の容量が検出回路でチェックされバッテリ１１１の容量が確保されていることがＣＰＵ１１０により確認されたらＣＰＵ１１０は処理を開始する。
【００３２】
このカメラで撮影を行なおうとして、パトローネ１０１がフィルム装填室１ｂに装填されたらまずパトローネ１０１のＤＸコードがＤＸ接点部１１４を介してＣＰＵ１１０に入力される。このＣＰＵ１１０に入力されたＤＸコードをＣＰＵ１１０はＲＡＭ１１０ｂ内に記憶しておき、カメラ動作の処理を行なう際、そのＤＸコードが必要なときには随時ＲＡＭ１１０ｂからその記憶したＤＸコードを読み出し使用する。
【００３３】
カメラ内のフィルム装填室１ｂにパトローネ１０１が装填されたら、ＣＰＵ１１０は撮影を行なえるように写真フィルムの撮影駒を給送し、いつでも撮影を行なえるように準備を行なう。
【００３４】
撮影の準備が整えられたら、レリーズ釦１１７が押下されて撮影が行なわれる。この撮影が行なわれるときに撮影に必要な被写体距離情報や被写界輝度情報を得るための測距部１１５と測光部１１６もこのＣＰＵ１１０により制御されており、ＣＰＵ１１０はレリーズ操作に応じて測距部１１５に測距を、測光部１１６に測光を行なわせた後、シャッタを駆動して露出を行なわせている。この測距部１１５での測距結果に応じてはレンズ鏡胴を繰出し撮影レンズを合焦点に配置し、測光部１１６の測定結果に応じては、このカメラが備えるプログラムシャッタのシャッタ速度と絞りの組み合わせを決めている。そしてレリーズ釦の全押し操作に応じてそのシャッタ速度と絞りの組み合わせに応じた開放速度と開放時間で絞り兼用のシャッタを開閉させている。
【００３５】
この測距部１１５による測距や測光部１１６による測光はレリーズ操作ごとに行なわれており、ＣＰＵ１１０にレリーズ操作が開始されたことを知らされると測光、測距といった一連の処理が行なわれる。
【００３６】
本実施形態のＣＰＵ１１０の内部にはこのカメラ動作の処理手順が記されたプログラムが格納されたＲＯＭ１１０ａが内蔵されており、このＲＯＭ１１０ａ内のプログラムによりこのカメラの動作がすべて制御される。このＣＰＵ１１０には作業領域としてＲＡＭ１１０ｂも配備されており、このＲＡＭ１１０ｂに処理用のフラグやＤＸコードといったデータなどが記憶され、そのフラグやデータの内容に応じた処理が適宜行なわれる。さらに電源がオフされたときにＲＡＭ１１０ｂの内容を一旦退避させたり、その退避した記憶内容をＲＡＭ１１０ｂに読み出したりするためのＥＥＰＲＯＭ１１０ｃも配備されている。
【００３７】
このカメラには、レリーズ操作に応じてレンズ鏡胴を繰出したり、シャッタを開閉させるたりするため、シャッタ羽根を駆動するアイリスモータ（Ｉ．Ｍ）１１０１やレンズ鏡胴モータ（Ｌ．Ｍ）１１０２が配備されている。またレリーズ後に次の撮影に備えて写真フィルムを給送するための給送モータ（Ｆ．Ｍ）１１０３も配備されている。これらのモータの動作はすべてＣＰＵ１１０により制御され、ＣＰＵ１１０からドライバ１１００へ指示を与えてモータがそれぞれドライバ１１００により駆動される。なお、図２にはそれらのモータに対応する略語をそれぞれ示してある。
【００３８】
また、これらのモータ１１０１〜１１０３の動作が正しく行なわれたかどうかをチェックするために動作チェック用のセンサが多数設けられており、そのセンサの中にパーフォレーション検出部を構成するフォトリフレクタ１とフォトレフレクタ２がある。
【００３９】
このパーフォレーション検出部の構成を詳細に説明する。
【００４０】
図３はパーフォレーション検出部の構成を示す図である。
【００４１】
図３に示すように、フォトリフレクタ１１ａとフォトリフレクタ１１ｂの出力信号がＣＰＵ１１０に供給されている。これらフォトリフレクタ１１ａ，１１ｂにはドライバ１１００側から電源ＶＲＥＦが供給されており、ドライバ１１００に信号が供給され、写真フィルムが給送モータ１１０３により給送されているときには双方のフォトリフレクタ１１ａ，１１ｂから検出信号がＣＰＵ１１０に供給される。
【００４２】
図４（ａ），（ｂ）は第２のセンサに当たるフォトリフレクタ１１ｂの動作を説明する図である。
【００４３】
図４（ａ）に示すように、第２の位置に設けられたフォトリフレクタ１１ｂから写真フィルム１０２に向けて光を投光し、投光した光が写真フィルム１０２のパーフォレーション１０３を通過したときに光を反射板１３ａにより第２の位置側に反射させ、写真フィルム１０２のパーフォレーション１０３がこのフォトリフレクタが配設された第２の位置を通過するときには反射板１３ａでの反射光を受光し、図４（ｂ）に示すように写真フィルム１０２のパーフォレーションと次のパーフォレーションとの間の写真フィルム１０２の部分がその第２の位置を通過するときには写真フィルム１０２での反射光を受光することによりパーフォレーションの通過を検出している。
【００４４】
図５（ａ），（ｂ）は第１のセンサに当たるフォトリフレクタ１１ａの動作を説明する図である。
【００４５】
この第１のセンサに当たるフォトリフレクタ１１ａでは、図５（ａ）、図５（ｂ）に示すように第１の位置から写真フィルム１０２に向けて光を投光し、パーフォレーションが第１の位置を通過し、次のパーフォレーションが該第１の位置を通過する迄の間の写真フィルム１０２の部分での反射光を受光することによりパーフォレーション１０３の通過を検出している。
【００４６】
これらフォトリフレクタでの検出信号が写真フィルムの反射率でどのように変わるかを、図６を参照して説明する。
【００４７】
図６は、写真フィルムの反射率が小さい場合に第１のセンサ、第２のセンサが出力する検出信号を示す波形図である。図６（ａ）はパーフォレーションの位置を示す図、図６（ｂ）はフォトリフレクタ１１ｂの検出信号を示す波形図、図６（ｃ）はフォトリフレクタ１１ａの検出信号を示す波形図、図６（ｄ）はＣＰＵ１１０が検出する計数用の信号を示す図である。
【００４８】
図６（ｂ）に示すようにフィルム反射率が小さいときには、パーフォレーション１０３と次のパーフォレーション１０３が第２の位置を通過する迄の間の写真フィルム１０２の部分との間に大きなレベル差が生じている。これに対し、第１の位置側にあるフォトリフレクタ１１ａではパーフォレーション１０３と次のパーフォレーション１０３が第１の位置を通過する迄の間の写真フィルム１０２の部分との検出信号にレベル差が得られていない。このためフォトリフレクタ１１ａでパーフォレーションの計数を行なうと計数を誤る可能性がある。
【００４９】
この場合には第２のセンサとなるフォトリフレクタ１１ｂの検出精度が高いとして第２のセンサとなるフォトリフレクタ１１ｂで計数を行なった方が良い。このときＣＰＵ１１０では、検出信号が有する最も小さい振幅値から最も大きい振幅値までのレベル差を求め、このレベル差の大きさに基づいて第２のセンサをパーフォレーション計数用のセンサとして選択する。
【００５０】
なお、図６（ｂ），図６（ｃ）に示すように本実施形態のカメラでは、２つの閾値Ｖｔｈ＿Ｈ，Ｖｔｈ＿Ｌを設定して、精度を高め計数を行なっている。
【００５１】
これに対し、写真フィルムの反射率が大きい場合には、図７に示すようになる。
【００５２】
図７は、写真フィルムの反射率が大きい場合に第１のセンサとなるフォトリフレクタ１１ａ、第２のセンサとなるフォトリフレクタ１１ｂがそれぞれ出力する検出信号を示す波形図である。図７（ａ）はパーフォレーションの位置を示す図、図７（ｂ）はフォトリフレクタ１１ｂの検出信号を示す波形図、図７（ｃ）はフォトリフレクタ１１ａの検出信号を示す波形図、図７（ｄ）はＣＰＵ１１０が検出する計数用の信号を示す図である。
【００５３】
図７に示すようにフィルム反射率が大きいときには、図７（ｃ）に示すようにフォトリフレクタ１１ａの検出信号の方が、パーフォレーション１０３と次のパーフォレーション１０３が第１の位置を通過する迄の間の写真フィルム１０２の部分との検出信号に大きなレベル差が得られる。これに対し、第２の位置側にあるフォトリフレクタ１１ｂの検出信号にはパーフォレーション１０３と次のパーフォレーション１０３が第２の位置を通過する迄の間の写真フィルム１０２の部分との検出信号にレベル差がなく、計数を誤る可能性がある。
【００５４】
ここでは第１のセンサとなるフォトリフレクタ１１ａの検出精度が高いとしてフォトリフレクタ１１ａでパーフォレーションの計数を行なった方が良い。このときＣＰＵ１１０では、検出信号のレベル差が大きい方の第１のセンサをパーフォレーション計数用のセンサとして選択する。このＣＰＵ１１０が本発明にいうセンサ選択部に該当する。このセンサ選択部に相当するプログラムがＣＰＵ内部のＲＯＭに格納されている。
【００５５】
図８を参照してそのＲＯＭ１１０ａ内のセンサ選択部の処理手順に基づいてＣＰＵ１１０が行なう処理を説明する。
【００５６】
図８はＲＯＭ１１０ａ内のセンサ選択部のプログラムに基づいてＣＰＵ１１０が行なう処理の手順を示したフローチャートである。
【００５７】
ステップ８０１ではこの選択を行なうに当たり、写真フィルムを給送モータにより給送して写真フィルムのパーフォレーションを第１の位置および第２の位置にそれぞれ位置させている。そして次のステップＳ８０２で次のパーフォレーションが第１の位置および第２の位置にくるまで給送を行なって、ステップＳ８０３でフォトリフレクタ１１ａおよびフォトリフレクタ１１ｂからの検出信号Ｐｈ１，Ｐｈ２をそれぞれ得る。
【００５８】
ステップＳ８０４で、フォトリフレクタ１１ａの検出信号Ｐｈ１が持つレベル差とフォトリフレクタの検出信号Ｐｈ２が持つレベル差をそれぞれ求める。次のステップＳ８０５で、ステップＳ８０４で求めた双方のフォトリフレクタのレベル差の大きさを比較する。このステップＳ８０５でフォトリフレクタ１１ａの検出信号Ｐｈ１のレベル差の方が大きく検出精度が高いと判定したときには、Ｙｅｓ側に進み、ステップＳ８０６でフォトリフレクタ１１ａをパーフォ計数用のセンサとして選択する。さらにステップＳ８０７で計数を行なうときの閾値Ｖｔｈ＿Ｈ，Ｖｔｈ＿Ｌを設定し、確実にパーフォレーションの計数を行なうための準備を完了する。
【００５９】
ステップＳ８０５でフォトリフレクタ１１ｂの検出信号のレベル差が大きく、検出精度が高いと判定した場合には、Ｎｏ側に進みステップＳ８０８でフォトリフレクタ１１ｂのセンサをパーフォレーション計数用として選択する。次のステップＳ８０９で閾値Ｖｔｈ＿Ｈ，Ｖｔｈ＿Ｌを設定し、確実にパーフォレーションの計数を行なうための準備を完了する。
【００６０】
なお、ステップＳ８０５で等号が成立した場合には、どちらでも同程度の検出精度が得られるものとして双方のセンサでの計数値に基づいて計数を行なうこともできる。
【００６１】
実際にレリーズ操作が行なわれたときにはこのフローで決定したセンサでパーフォレーションの計数が行なわれる。
【００６２】
図９〜図１１は別の実施形態の作用を説明する図である。
【００６３】
図８のものでは、第１のセンサとなるフォトリフレクタ１１ａ、第２のセンサとなるフォトリフレクタ１１ｂのいずれかいずれか一方をセンサ選択部により選択しているが、第１のセンサとなるフォトリフレクタ１１ａの検出信号と第２のセンサとなるフォトリフレクタ１１ｂの検出信号とをＣＰＵ１１０により生成してパーフォレーション検出用の信号を生成することもできる。
【００６４】
ここで双方のセンサの検出信号の差分を求めてパーフォレーション計数用の検出信号を生成した場合の処理手順を説明する。この生成処理を行なうに当たってＣＰＵ内部のＲＯＭには生成処理に関するプログラムが記述されており、ＣＰＵはそのＲＯＭ内のプログラムの処理手順にしたがって生成処理を行なう。このＣＰＵが本発明にいう生成処理部に当たる。
【００６５】
この生成処理部の処理手順を説明する前にＣＰＵ１１０で求める差分の信号がどのようなものであるかを図９〜図１１を参照して説明する。
【００６６】
図９はフィルムの反射率が大きい場合に双方のフォトリフレクタの検出信号を差分という形で生成したときにどのような検出信号が生成されるかを示す図である。
【００６７】
図９（ａ）にはパーフォレーションの位置とパーフォレーションと次のパーフォレーションの間のフィルム部分の位置関係が示されている。また図９（ｂ）にはフォトリフレクタ１１ｂの検出信号が、図９（ｃ）にはフォトリフレクタ１１ａの検出信号がそれぞれ示されている。これらの信号を差分した信号がどのようなものであるかを示すため、図９（ｄ）には、双方の検出信号のレベル差がハッチングによって示されている。このハッチングで示される差を持つ検出信号から図９（ｅ）のパーフォレーション計数用の検出信号が生成される。
【００６８】
図１０は写真フィルムの反射率が小さい場合、図１１には写真フィルムの反射率が中間レベルである場合がそれぞれ図９と同様に示されている。
【００６９】
図９〜図１１に示すようにフィルムの反射率が大きい場合においても小さい場合においてもまたその中間レベルであった場合においても、双方の検出信号を減算して差分を求めると、パーフォレーションとパーフォレーションの間のフィルム１０２の部分では、ほとんど差が０に近い信号が得られ、パーフォレーションの部分では反射板の有無によってハッチングで示すレベル差を持った差分信号が得られる。つまりフィルムの反射率にかかわりなく、反射板無側の第１のセンサと反射板有側の第２のセンサとの双方の検出レベルの差がそのまま検出信号として得られる。このようにフィルムの反射率がかかわりなくなると、フィルムを入れる前に閾値を設定することができる。またこのように差を検出信号にすると、第１のセンサの感度と第２のセンサの感度との間に差があっても問題なくフォーフォレーションの計数を行なうことができる。。
【００７０】
図１２はＣＰＵ１１０が行なう処理手順を示すフローチャートである。
【００７１】
ステップ１２０１ではパーフォレーションを第１の位置および第２の位置にセットする。そして次のステップＳ１２０２で給送を行い、ステップＳ１２０３でフォトリフレクタ１１ａ、フォトリフレクタ１１ｂそれぞれから検出信号Ｐｈ１，Ｐｈ２を得る。
【００７２】
ステップＳ１２０４でフォトリフレクタの検出信号Ｐｈ１とフォトリフレクタの検出信号Ｐｈ２の差分を求め、図９〜図１１に示したレベル差を持つパーフォレーション計数用の検出信号を生成する。
【００７３】
ステップＳ１２０５で、閾値を設定して、パーフォレーション計数用の準備を完了する。
【００７４】
このようにパーフォレーションと次のパーフォレーションまでの写真フィルムの部分との間にはっきりとした差を持たせた検出信号を生成することができ、その検出信号を用いて計数を行なうことでパーフォレーションの計数が確実に行なわれる。
【００７５】
このようにフォトリフレクタを２つ設けて、一方に反射板を設けることにより、双方のセンサでの検出信号にレベル差を持たせることによりパーフォレーションの計数が確実に行なわれる。
【００７６】
なお、上記実施形態では、写真フィルムの幅方向の両端にあるパーフォレーションが通過する位置をそれぞれ第１の位置、第２の位置としたが、ＡＰＳフィルムなどのように片端にパーフォレーションが設けられている場合には、片端側のパーフォレーションが通過する位置に第１、第２の位置をそれぞれ設けても良い。
【００７７】
また、２つのフォトリフレクタの一方に反射板を設けたが、１つのセンサで反射板をメカ的に駆動して反射板をパーフォレーションが通過する位置に挿入したり、離脱させたりしても良い。
【図面の簡単な説明】
【００７８】
【図１】本実施形態のカメラ１を示す図である。
【図２】２つのフォトリフレクタをパーフォレーション検出部として備える信号処理部の構成を示す図である。
【図３】パーフォレーション検出部の構成を示す図である。
【図４】第２のセンサに当たるフォトリフレクタ１１ｂの動作を説明する図である。
【図５】第１のセンサに当たるフォトリフレクタ１１ａの動作を説明する図である。
【図６】写真フィルムの反射率が小さい場合に第１のセンサ、第２のセンサが出力する検出信号を示す波形図である。
【図７】反射率が大きい場合に第１のセンサとなるフォトリフレクタ１１ａ、第２のセンサとなるフォトリフレクタ１１ｂがそれぞれ出力する検出信号を示す波形図である。
【図８】ＣＰＵ１１０がパーフォレーション計数用のセンサを選択するために行なわれる処理の手順を示すフローチャートである。
【図９】写真フィルムの反射率が大きい場合、双方のフォトリフレクタの検出信号から差分を求め、生成されたパーフォレーション計数用の検出信号を示す図である。
【図１０】写真フィルムの反射率が小さい場合、双方のフォトリフレクタの検出信号から差分を求め、生成されたパーフォレーション計数用の検出信号を示す図である。
【図１１】写真フィルムの反射率が中間レベルの場合、双方のフォトリフレクタの検出信号から差分を求め、生成されたパーフォレーション計数用の検出信号を示す図である。
【図１２】ＣＰＵ１１０が行なう処理手順を示すフローチャートである。
【符号の説明】
【００７９】
１  カメラ
１ａ    フィルム装填室
１ｂ    スプール側
１ｃ    ファインダ
１０１    パトローネ
１０１１    巻軸
１０２    写真フィルム
１０３    パーフォレーション
１１ａ    フォトリフレクタ（第１のセンサ）
１１ｂ    フォトリフレクタ（第２のセンサ）
１１０  ＣＰＵ
１１０ａ    ＲＯＭ
１１０ｂ    ＲＡＭ
１１０ｃ    ＥＥＰＲＯＭ
１１１    バッテリ
１１２    検出回路
１１３    ＬＣＤ
１１４    ＤＸコード接点部
１１５    測距部
１１６    測光部
１１７    レリーズ釦
【図１】
2005274975.tif 000003
【図２】
2005274975.tif 000004
【図３】
2005274975.tif 000005
【図４】
2005274975.tif 000006
【図５】
2005274975.tif 000007
【図６】
2005274975.tif 000008
【図７】
2005274975.tif 000009
【図８】
2005274975.tif 000010
【図９】
2005274975.tif 000011
【図１０】
2005274975.tif 000012
【図１１】
2005274975.tif 000013
【図１２】
2005274975.tif 000014